(57)【特許請求の範囲】
【請求項１】
異なる伝送路で伝送される第１の映像信号に含まれるコンテンツを構成する構成情報を参照することを可能にする選局制御情報を生成する選局制御情報生成部と、
基映像信号を変換して取得される第２の映像信号と当該第２の映像信号に対応する前記選局制御情報とを多重化する多重化処理部と、を備え、
前記選局制御情報生成部は、前記第２の映像信号の伝送方式と異なる伝送方式で伝送される前記第１の映像信号に含まれる前記構成情報を参照指定することができる第１の選局制御記述子を前記選局制御情報に生成する、送信装置。
【請求項２】
異なる伝送路で伝送される第１の映像信号に含まれるコンテンツを構成する構成情報を参照することを可能にする選局制御情報を生成する選局制御情報生成部と、
基映像信号を変換して取得される第２の映像信号と当該第２の映像信号に対応する前記選局制御情報とを多重化する多重化処理部と、を備え、
前記選局制御情報生成部は、ＰＭＴ内において前記第２の映像信号を伝送する伝送路と異なる伝送路、及び前記第２の映像信号のＴＳと異なる信号のＴＳの少なくとも一方で伝送される前記第１の映像信号に含まれるＥＳを参照指定することができる第１の選局制御記述子を前記選局制御情報に生成する、送信装置。
【請求項３】
前記選局制御情報生成部は、同一伝送路及び同一のＴＳで伝送される前記第２の映像信号のＥＳを指定していないことを示すために、ＰＭＴ内のｅｌｅｍｅｎｔａｒｙ＿ＰＩＤフィールドに０ｘ１ＦＦＦを指定する前記選局制御情報を生成する、請求項２の送信装置。
【請求項４】
前記選局制御情報生成部は、ＮＩＴ内において前記第１の映像信号と前記第２の映像信号との関連性を示す第２の選局制御記述子を前記選局制御情報に生成する、請求項３の送信装置。
【請求項５】
前記基映像信号と当該基映像信号と異なる映像信号との画像間予測によって前記第２の映像信号を生成し、当該第２の映像信号を前記多重化処理部へ出力する拡張信号生成部をさらに備える、請求項４の送信装置。
【請求項６】
コンテンツを構成する構成情報を含む基映像信号が入力され、当該基映像信号を第１の映像信号に変換し、当該第１の映像信号を出力する第１の信号生成部と、前記基映像信号が入力され、異なる伝送路で伝送される前記第１の映像信号の前記構成情報を参照することを可能にする選局制御情報を生成する選局制御情報生成部と、前記基映像信号を変換して取得される第２の映像信号と当該第２の映像信号に対応する前記選局制御情報と多重化する多重化処理部とを備え、前記第２の映像信号を出力する第２の信号生成部と、を備える送信装置と、
前記第１の映像信号を取得し、当該第１の映像信号を第１の表示信号へ変換処理し、当該第１の表示信号を出力する第１の処理部と、前記第２の映像信号を取得し、当該第２の映像信号を第２の表示信号へ変換処理し、当該第２の表示信号を出力する第２の処理部と、前記第２の映像信号に含まれる前記選局制御情報を読み込み、前記第１の映像信号から前記構成情報を参照して選局する映像を示す選局情報を生成し、当該選局情報を出力する選局情報処理部と、前記選局情報を取得し、当該選局情報に従って前記第１の表示信号と前記第２の表示信号との少なくとも一方を選局して出力する選局部と、を備える受信装置と、を備える送受信システム。
【請求項７】
前記選局制御情報生成部は、前記第２の映像信号の伝送方式と異なる伝送方式で伝送される前記第１の映像信号に含まれる前記構成情報を参照指定することができる第１の選局制御記述子を前記選局制御情報に生成する、請求項６の送受信システム。
【請求項８】
前記選局制御情報生成部は、ＰＭＴ内において前記第２の映像信号を伝送する伝送路と異なる伝送路、及び前記第２の映像信号のＴＳと異なる信号のＴＳの少なくとも一方で伝送される前記第１の映像信号に含まれるＥＳを参照指定することができる第１の選局制御記述子を前記選局制御情報に生成する、請求項６の送受信システム。
【請求項９】
前記選局制御情報生成部は、ＮＩＴ内において前記第１の映像信号と前記第２の映像信号との関連性を示す第２の選局制御記述子を前記選局制御情報に生成する、請求項８の送受信システム。
【請求項１０】
前記選局部は、前記選局情報から前記第１の映像信号に対応する前記第２の映像信号が存在することを示す情報を読み取ると、選局対象から前記第１の映像信号を除外する、請求項９の送受信システム。
【請求項１１】
前記選局部は、前記選局情報から前記第１の映像信号に対応する前記第２の映像信号が存在することを示す情報を読み取ると、前記第１の表示信号が指定された際に当該第２の表示信号に選局を遷移する、請求項９の送受信システム。
【請求項１２】
前記基映像信号と当該基映像信号と異なる映像信号との画像間予測によって前記第２の映像信号を生成し、当該第２の映像信号を前記多重化処理部へ出力する拡張信号生成部をさらに備える、請求項９の送受信システム。
【発明の詳細な説明】
【技術分野】
【０００１】
本発明の実施形態は、送信装置及び送受信システムに関する。
【背景技術】
【０００２】
近年、現行のＨＤ（High Definition）（２Ｋ）放送の水平および垂直解像度の4倍もしくは8倍の解像度を持つ、いわゆる４Ｋ放送（3840×2160）や８Ｋ放送（7680×4320）の導入が国内の衛星放送などでも検討されている。
【０００３】
しかし、現行放送を維持しながら４Ｋ放送や8K放送を導入しようとすると大容量の放送帯域の新たな確保が必要となる。また、現行放送事業者が４Ｋ／８Ｋ放送サービスを提供する場合には映像解像度や符号化方式が異なるため、番組制作・サービス運用コストの負担増加が懸念される。
【０００４】
このため、たとえば、２０１４年７月にＭＰＥＧ（Moving Picture Experts group）で標準化された最新の映像符号化方式標準である、ＨＥＶＣ（High efiiciency Video Coding)規格（ISO/IEC23008-2）第２版の中で拡張規定されたＳＨＶＣ (Scalable High efiiciency Video Coding) (スケーラブルＨＥＶＣ)を適用することが検討されている。具体的には、ＨＤ信号のＭＰＥＧ−２  Ｖｉｄｅｏ映像符号化方式をベースとして、このデコード画像も参照画像として４Ｋ／８Ｋ信号のＨＥＶＣ符号化に拡張利用する、ＳＨＶＣ方式である。
【０００５】
このような新規サービスの追加、拡張、及び導入する際には、既存の受信機の中には想定外の動作を引き起こす懸念があり、現行放送仕様に準拠しながら追加拡張のサービスを導入することが困難になり得る。
【０００６】
また、４Ｋ／８Ｋ放送対応の受信機において、ＳＨＶＣ等による信号を受信再生する際には、通常、メインチャンネル(現行放送信号)とサブチャンネル(拡張放送信号)を並行してリアルタイム処理することになるため、効率的で円滑な選局処理が必要となる。
【先行技術文献】
【特許文献】
【０００７】
【特許文献１】特開２０１４−６０６２５号公報
【発明の概要】
【発明が解決しようとする課題】
【０００８】
本発明が解決しようとする課題は、高画質放送に対応する効率的で円滑な選局処理を実現するための送信装置及び送受信システムを提供することである。
【課題を解決するための手段】
【０００９】
本実施形態に係る送信装置は、異なる伝送路で伝送される第１の映像信号に含まれるコ
ンテンツを構成する構成情報を参照することを可能にする選局制御情報を生成する選局制
御情報生成部と、基映像信号を変換して取得される第２の映像信号と第２の映像信号に対
応する選局制御情報とを多重化する多重化処理部と、を備え、前記選局制御情報生成部は、前記第２の映像信号の伝送方式と異なる伝送方式で伝送される前記第１の映像信号に含まれる前記構成情報を参照指定することができる第１の選局制御記述子を前記選局制御情報に生成する。
【図面の簡単な説明】
【００１０】
【図１】図１は、第１の実施形態の送受信システムの一例を示す概要図である。
【図２】図２は、第１の実施形態の送信機に備えられる送信用信号処理系の一例を示すブロック図である。
【図３】図３は、通常のＰＭＴのデータ構造を示す図である。
【図４】図４は、第１の実施形態に係る新規定義されるＥＳ参照記述子のデータ構造の一例を示す図である。
【図５】図５は、第１の実施形態の受信機の一例を示すブロック図である。
【図６】図６は、第１の実施形態の受信機の信号処理部に備えられる復元処理部の一例を示すブロック図である。
【図７】図７は、異なる伝送路及び伝送方式の信号間におけるＥＳの参照を示す模式図である。
【図８】図８は、第１の実施形態の受信機の選局処理の一例を示す図である。
【図９】図９は、第１の実施形態のメインチャンネル及びサブチャンネルの関係の一例を示す概要図である。
【図１０】図１０は、第２の実施形態の新規定義されるサービスグループ記述子のデータ構造の一例を示す図である。
【図１１】図１１は、第２の実施形態の受信機における選局リストの作成処理の一例を示す図である。
【図１２】図１２は、第２の実施形態のメインチャンネル及びサブチャンネルの選局制御処理の関係の一例を示す概要図である。
【図１３】図１３は、第２の実施形態のメインチャンネル及びサブチャンネルの選局制御処理の関係の一例を示す概要図である。
【図１４】図１４は、第３の実施形態の送受信システムの概要図である。
【図１５】図１５は、第３の実施形態の変形例のメインチャンネル及びサブチャンネルの関係の一例を示す概要図である。
【図１６】図１６は、変形例の受信機における番組表を示す電子案内画面の一例の示す図である。
【発明を実施するための形態】
【００１１】
以下、図面を参照して実施形態の説明をする。  
（第１の実施形態）  
図１は、第１の実施形態の送受信システム１の一例を示す概要図である。  
本実施形態の送受信システム１は、送信機（送信装置）３と、受信機（受信装置）５と、サーバ７と、で構成されている。送受信システム１において、送信機３、受信機５、及びサーバ７は、それぞれ有線及び／又は無線の放送及び通信の伝送路で接続されている。送受信システム１では、送信機３は、例えば、放送波を媒体として番組コンテンツを配信する。
【００１２】
送信機３は、入力される基映像（基映像信号）に種々の情報を付帯させてコンテンツ（テレビ番組（放送番組）、衛星放送番組、配信コンテンツ、映像、画像、音楽、及びプログラム等）を生成し、映像信号として送信する。基映像は、撮像装置、例えば、カメラで撮像される高画質映像（第１の高画質映像信号）である。送信機３は、ＳＨＶＣ (Scalable High efiiciency Video Coding)符号化方式をＨＤ（High Definition）放送に適用して構成されている。図１に示すように、ＳＨＶＣ方式の放送では、送信機３は、コンテンツを複数の信号に変換され、複数の信号をそれぞれ、同一の伝送路１０１内に含まれる異なる伝送路で伝送する。ここで、伝送路は、信号を伝送するための帯域及び回線等であり、伝送路内に複数の伝送路を含む場合もある。本実施形態では、伝送路１０１は、２つの伝送路を含んでいる。送信機３は、コンテンツを所定の変換方式で変換した信号を伝送路１０１に含まれる２つの伝送路の夫々に出力する。このとき、送信機３は、それぞれの伝送路に出力する信号を各々の変換方式に対応する異なる伝送方式で伝送する。ここで、伝送方式は、放送方式、符号化方式、伝送の経路、伝送の方法、伝送帯域、及び回線の種類等を含む信号の伝送に関連する種々の手段（形式）である。例えば、送信機３は、入力された基映像からＨＤ（２Ｋ）映像（画像）（基準映像信号（第１の映像信号））と、４Ｋ映像用のＨＤ映像の補完映像（画像）（拡張映像信号（第２の映像信号））とを生成する。送信機３は、基準映像信号及び拡張映像信号を各々を互いに異なる伝送路及び／又は伝送方式で伝送（送信）する。
【００１３】
受信機５は、衛星及び／又は地上波（地上デジタル放送）放送によって送信機３から配信されるコンテンツを受信し、受信したコンテンツを表示する。受信機５で受信され、表示されるコンテンツの内、メインチャンネルとしての映像及びその映像の表示信号（第１の表示信号）を、メインチャンネル、メインサービス、メインチャンネルＴＳ（Transport Stream）、主映像信号、ＨＤ映像信号、ＨＤ放送信号、２Ｋ映像信号現行サービス、及び現行放送信号などと称し、サブチャンネルとしての映像及びその映像の表示信号（第２の表示信号）を、サブチャンネル、サブサービス、サブチャンネルＴＳ、高画質映像信号、４Ｋ映像信号、４Ｋ放送信号、拡張サービス、及び拡張放送信号などと称する場合もある。
【００１４】
受信機５は、例えば、テレビジョン（ＴＶ）、パーソナルコンピュータ（ＰＣ）、ホームサーバ、及びレコーダ等である。本実施形態において、受信機５は、２Ｋ（２Ｋ１Ｋ）、４Ｋ（４Ｋ２Ｋ）、及び／又は、８Ｋ（８Ｋ４Ｋ）対応ＴＶである。以下で、説明の便宜上、受信機５は、２Ｋ／４Ｋ対応ＴＶとして記載する。
【００１５】
（送信機）  
図２は、送信機３に備えられる送信用信号処理系の一例を示すブロック図である。  
送信機３は、送信信号処理装置４を備えている。送信信号処理装置４は、送信用の信号処理系である。なお、送信信号処理装置４は、他にも音声信号及びデータ信号等の処理系も備えているが、簡単化のため図示していない。図２では、２種類の線が示されているが、２重線は、コンテンツの信号、例えば、映像信号を含む信号の入出力を示し、実線は、制映像信号を含まない、例えば、制御信号及び情報（信号）を含む信号の入出力を示す。
【００１６】
以下で、送信信号処理装置４の構成について説明する。  
送信信号処理装置４は、各種の信号を入力するために複数の入力端子を備えている。さらに、送信信号処理装置４は、デコーダ３４と、アップコンバータ３６と、バッファ３８と、クロック生成部３７と、ＣＰＵ（Central Processing Unit）（第１の制御部）４０１と、第１の信号生成部５０１と、第２の信号生成部５０２と、伝送路符号化部３１、５７と、出力端子３２、５８とを備えている。
【００１７】
本実施形態において、送信信号処理装置４は、入力端子１０、１６、２２、４０を備えている。本実施形態において、入力端子１０は、番組情報の信号が入力される。入力端子１６は、スクランブル情報の信号が入力される。入力端子２２は、基映像である高画質映像信号（第１の高画映像信号）、例えば、４Ｋ映像信号が入力される。高画質映像信号は、複数の高画質画像が所定の時間間隔で時系列に配列されて構成されている。以下、映像は、画像を含むものとして記載する。入力端子４０は、映像関連情報の信号が入力される。なお、番組情報、スクランブル情報、高画質映像信号、映像関連情報、及びその他の情報は、入力時に合成されているコンテンツであってもよい。この場合には、送信機３は、番組情報、スクランブル情報、高画質映像信号、映像関連情報、及びその他の情報に情報を分離し、各々の情報を送信信号処理装置４に入力する。なお、番組情報、映像関連情報、スクランブル情報、及びその他のコンテンツを構成する情報を構成情報と称する場合もある。また、これらの構成情報と合成されている高画質映像信号及び高画質放送信号を高画質コンテンツと称する場合もある。
【００１８】
デコーダ３４は、各種信号（時間情報、情報（信号）、及び映像信号等）の復号処理を実行する。デコーダ３４は、例えば、ＭＰＥＧ―２デコーダである。このとき、デコーダ３４は、ＭＰＥＧ―２符号化形式で符号化された信号を復号する。
【００１９】
アップコンバータ３６は、入力される映像信号の解像度、画面サイズ及び色帯域をアップコンバートする。例えば、アップコンバータ３６は、デコーダ３４によって復号される映像信号（第１の復号映像信号）をアップコンバートし、アップコンバートによって生成された映像信号（第１の拡大復号映像（参照映像、参照画像））信号を生成し、この第１の拡大復号映像を出力する。ここで、アップコンバータ３６は、例えば、入力される２Ｋの復号信号を４Ｋの第１の拡大復号映像信号に変換する。  
バッファ３８は、各種信号を一時的に蓄積するための記憶領域回路である。  
クロック生成部３７は、同期するための第１のクロック情報と、再生及び表示のタイミングを示す時間情報とを生成する。ここで、時間情報は、例えば、ＰＴＳ（Presentation Time Stamp）、ＤＴＳ（Decoding Time Stamp）、ＳＴＣ（及びＳＣＲ（System Clock Reference））等を含む。
【００２０】
ＣＰＵ（第１の制御部）４０１は、送信信号処理装置４の全体を制御する回路である。すなわち、ＣＰＵ４０１は、第１の信号生成部５０１と、第２の信号生成部５０２と、デコーダ３４と、アップコンバータ３６と、バッファ３８と、クロック生成部３７とを制御する。
【００２１】
第１の信号生成部５０１は、メインチャンネルを構成する信号（基準映像信号、第１のＴＳ信号）を生成する。第２の信号生成部５０２は、メインチャンネルを補完して構成される高画質映像であるサブチャンネルを構成する信号（拡張映像信号、拡張データ、第２のＴＳ信号）を生成する。第１の信号生成部５０１及び第２の信号生成部５０２において、システム時刻基準値（System Time Clock : STC）は、共通である。なお、第１の信号生成部５０１は、現行のＴＶ放送、例えば、ＨＤ放送に対応する構成である。例えば、第１の信号生成部５０１は、現行のＴＶ放送の送信機の構成とほぼ同等であってもよい。
【００２２】
第１の信号生成部５０１は、入力端子１０、１６、及び２２から信号が入力され、メインチャンネルのための第１のＴＳ信号を生成する。例えば、第１の信号生成部５０１では、入力される基準映像に対し、ＭＰＥＧ（Moving Picture Experts group）−２  Ｖｉｄｅｏ符号化方式が適用される。このような場合、第１の信号生成部５０１は、ＭＰＥＧ−２ Ｖｉｄｅｏ方式による基準映像信号を生成する。
【００２３】
第２の信号生成部５０２は、入力端子１０、１６、２２、及び４０から信号が入力され、入力された基映像からサブチャンネルの一部を構成する拡張映像信号を生成する。例えば、第２の信号生成部５０２は、入力される信号に対し、ＭＰＥＧ−ＨＥＶＣ  Ｖｉｄｅｏ符号化方式が適用される。このような場合、第２の信号生成部５０２は、４Ｋの映像信号と２Ｋの映像信号とを補完するためのＳＨＶＣによる拡張映像信号を生成する。  
第１の信号生成部５０１及び第２の信号生成部５０２の構成については後述する。
【００２４】
伝送路符号化部３１、５７は、伝送路に対応した変調や誤り訂正符号化の処理を実行し、出力端子３２を介して出力する。同様に、変調や誤り訂正符号化の処理を実行し、出力端子５８を介して出力する。なお、伝送路符号化部３１、５７は、それぞれ、後述の第１の信号生成部５０１及び第２の信号生成部５０２に組み込まれていてもよい。
【００２５】
第１の信号生成部５０１及び第２の信号生成部５０２の構成について説明する。  
はじめに、第１の信号生成部５０１について以下で説明する。  
第１の信号生成部５０１は、第１のＰＳＩ（Program Specific Information）／ＳＩ（Service Information）生成部１２と、第１のＥＣＭ（Entitlement Control Message）／ＥＭＭ（Entitlement Management Message）生成部１８と、セクション化部１４、２０と、ダウンコンバータ２４と、エンコーダ２６と、ＰＥＳ(packetized elementary stream)化部２８と、第１のスクランブラ２９と、第１の多重化処理部３０と、を備えている。
【００２６】
第１のＰＳＩ／ＳＩ生成部１２は、入力される番組情報に対応する番組特定情報（ＰＳＩ）と、サービス情報（ＳＩ）とを生成し、生成したＰＳＩ及びＳＩを出力する。ここで、ＰＳＩは、ＴＳストリーム（ＴＳ信号）で伝送されるコンテンツや、コンテンツに含まれるＥＳ（Elementary Stream）（コンポーネント）をデコード（復号（再生））するための情報、スクランブルのための情報等、各種の制御情報用のデータである。すなわち、ＰＳＩは、映像信号、音声信号及び字幕／文字スーパー情報等を、番組別に多重化伝送制御情報として相互に関連付け、受信再生時に、選択された番組の構成信号を多重分離し、関連付けられた信号及び情報等の各信号を正しいタイミングで同期再生するために制御する情報等を含む。
【００２７】
ＰＳＩ及びＳＩは、ＰＡＴ（Program Association Table）、ＰＭＴ（Program Map Table）、ＮＩＴ（Network Information Table）、及びＣＡＴ（Conditional Access Table）等を含む。ＰＡＴは、ストリームに含まれるプログラムを管理する情報である。ＰＭＴは、コンテンツ（番組、プログラム）を構成するオーディオ／ビデオ（Ａ／Ｖ）などのデータを管理する情報である。ＮＩＴは、ネットワーク関連の設定を管理する情報であり、チャンネル番号、変調方式、及びガードインターバル等の送信するネットワークに関連する情報を含む。ＣＡＴは、有料放送のための管理情報である。なお、以下で説明の便宜上、ＳＩをＰＳＩの一部としてＰＳＩと表現する場合もある。
【００２８】
第１のＥＣＭ／ＥＭＭ生成部１８は、コンテンツに関する情報、このコンテンツの視聴の可否に関する情報、及び受信機の制御に関する情報等の含む共通情報（ＥＭＣ）と、個人契約情報及び共通情報の暗号を解くための情報を含む個別情報（ＥＭＭ）とを生成する。第１のＥＣＭ／ＥＭＭは、伝送路及び伝送方式に応じて第１のＥＣＭ及び第１のＥＭＭをそれぞれ生成する。第１のＥＣＭ／ＥＭＭ生成部は、例えば、ワーク鍵を含む第１のＥＭＭをマスタ鍵で暗号化し、スクランブル鍵を含む第１のＥＣＭをワーク鍵で暗号化する。
【００２９】
セクション化部１４、２０は、夫々、コンテンツの各種信号をセクション化する。ここで、セクションとは、ＴＳで伝送できる形式の１つである。  
ダウンコンバータ２４は、入力される信号の解像度、画面サイズ及び色帯域をダウンコンバートする。例えば、ダウンコンバータ２４は、入力される４Ｋ映像信号の解像度を２Ｋ映像信号の解像度に変換し、４Ｋ映像信号の色帯域を２Ｋ映像信号に適した色帯域へ変換処理をする。
【００３０】
エンコーダ２６は、入力される信号の圧縮及び符号化処理を実行する。エンコーダ２６は、例えば、ＭＰＥＧ―２符号化方式のエンコーダである。このとき、エンコーダ２６は、入力される映像信号をＭＰＥＧ―２符号化方式で符号化する。  
ＰＥＳ化部２８は、クロック生成部３７からの第１のクロック信号に従って入力される信号をパケット化し、パケット化した信号に時間情報を付加する。
【００３１】
第１のスクランブラ２９は、入力される信号に暗号化処理を実行する。第１のスクランブラ２９は、例えば、入力される信号を伝送路及び伝送方式に応じてスクランブル鍵で暗号化する。第１のスクランブラ２９は、例えば、ＭＵＬＴＩ２で暗号化処理をする。  
第１の多重化処理部３０は、各種信号をＴＳパケット多重化してＴＳ信号（第１のＴＳ信号）を生成する。
【００３２】
次に、第２の信号生成部５０２について以下で説明する。  
第２の信号生成部５０２は、メタデータ生成部４２と、ＳＨＶＣエンコーダ（拡張信号生成部）４４と、第２のＰＳＩ／ＳＩ生成部（選局制御情報生成部）５０と、第２のＥＣＭ／ＥＭＭ生成部５４と、セクション化部５２、５５と、ＰＥＳ化部４６と、第２のスクランブラ４８と、第２の多重化処理部５６と、を備えている。
【００３３】
メタデータ生成部４２は、コントラスト、色帯域、及び諧調特性等のメタデータ（メタ情報）を生成する。メタデータ生成部４２は、高画質コンテンツ、例えば、４Ｋ映像に関連するメタデータを生成する。
【００３４】
ＳＨＶＣエンコーダ４４は、入力される信号の圧縮及び符号化処理を実行する。ＳＨＶＣエンコーダ４４は、ＳＨＶＣ符号化方式（スケーラブル符号化方式）によって入力される信号を符号化処理する。ＳＨＶＣ符号化方式では、ＳＨＶＣエンコーダ４４は、予測画像の生成に、インター予測（動き補償予測）、イントラ予測（画面内予測）、及びレイヤ間予測（画像間予測）のいずれかを実行できる。なお、ＳＨＶＣエンコーダ４４は、これらの予測の内、ＣＰＵ４１０の指示に従って最適な予測を実行することができる。
【００３５】
例えば、ＳＨＶＣ符号化方式では、ＨＥＶＣ方式で用いられていた画面間予測と画面内予測に加え、現行のＴＶ映像を構成する基準レイヤ、例えば、２Ｋの基準映像信号から高画質映像放送用のＴＶ映像を構成する拡張レイヤ、例えば、４Ｋの拡張映像を予測するレイヤ間予測が実行される。復号した基準レイヤを高画質にアップコンバートした映像を、予測の候補として利用することが可能であるため、高画質映像、例えば、４Ｋ映像を直接圧縮するよりも圧縮効率が良い可能性がある。
【００３６】
例えば、ＳＨＶＣエンコーダ４４は、入力される高画質映像信号及び第１の拡大復号映像信号の各々に含まれる同一の画像を同期させ、第１の拡大復号信号に含まれる画像（参照画像）を参照し、高画質画像（基準レイヤ）と参照画像（拡張レイヤ）とのレイヤ間予測を実行することによって、高画質画像と参照画像とのレイヤ間画像予測により拡張予測画像信号を生成する。さらに、ＳＨＶＣエンコーダ４４は、メタデータ生成部４２から取得したメタデータを拡張予測画像信号に付加する。ＳＨＶＣエンコーダ４４は、生成した拡張画像信号を所定の時間間隔、且つ時系列に配列し、拡張予測映像を生成する。ＳＨＶＣエンコーダ４４は、拡張予測映像をスケーラブル符号化（ＳＨＶＣ符号化）によって符号化処理し、拡張信号（スケーラブル信号）を生成し、スケーラブル符号化したスケーラブル信号を出力する。なお、ＳＨＶＣエンコーダ４４は、レイヤ間予測以外の予測方式によって拡張予測映像を生成することもできる。
【００３７】
第２のＰＳＩ／ＳＩ生成部５０、入力される番組情報から伝送路及び伝送方式に応じた番組特定情報（ＰＳＩ）と、サービス情報（ＳＩ）とを生成する。すなわち、第１のＰＳＩ／ＳＩ生成部１２及び第２のＰＳＩ／ＳＩ生成部５０は、夫々、伝送路及び伝送方式に応じた同一のコンテンツ（、又は基映像）に対してＰＳＩ／ＳＩを生成している。また、第２のＰＳＩ／ＳＩ生成部５０は、ＣＰＵ４０１の指示信号に従って異なる伝送路及び／又は異なる伝送方式で伝送される信号の構成情報も参照できるようにするための記述子（第１の選局制御情報（第１の選局制御記述子））を所定の映像信号の情報（信号）に新規定義する。第２のＰＳＩ／ＳＩ生成部５０は、入力される番組情報に対応するコンテンツのＴＳのＰＳＩに含まれるＰＭＴ内に、異なる伝送路及び／又は異なる伝送方式で伝送される信号のＥＳも参照できるようにするための記述子（第１の選局制御情報（第１の選局制御記述子））を新規定義する。なお、第２のＰＳＩ／ＳＩ生成部５０は、ＣＰＵ４０１の指示に従って記述子を付与する信号、例えば、コンテンツ、又は基映像等を任意に設定することもできる。
【００３８】
以下で、第２のＰＳＩ／ＳＩ生成部５０が新規定義する記述子について説明する。  
図３は、通常のＰＭＴのデータ構造を示す図である。図３に示すＰＭＴは、デジタル放送に使用する番組配列情報の標準規格であるＡＲＩＢ（Association of Radio Industries and Businesses）  ＳＴＤ−Ｂ１０で規定されているデータ構造である。  
ＰＳＩ／ＳＩ生成部５０は、異なる伝送路及び／又は異なる伝送方式で伝送される信号内のＥＳを指定していることを後述する受信機５側で識別できるようにＰＭＴを設定する。例えば、ＰＳＩ／ＳＩ生成部５０は、図３に示されるＰＭＴのデータ構造内のelementary_PIDに無効なＰＩＤ値（0x1FFF）を設定する。
【００３９】
図４は、新規定義されるＥＳ参照記述子のデータ構造の一例を示す図である。  
本実施形態において、第２のＰＳＩ／ＳＩ生成部５０は、“elementary_stream_reference_descriptor()”なる名称で新規定義し、異なる伝送路のＥＳの参照を許可するための“network_id”と、異なる伝送方式のＥＳの参照を許可するための“transport_stream_id”とをＥＳ参照記述子（第１の選局制御情報）に記述する。
【００４０】
第２のＥＣＭ／ＥＭＭ生成部５４は、伝送路及び伝送方式に応じたＥＭＣとＥＭＭとを生成する。すなわち、第１のＥＣＭ／ＥＭＭ生成部１８及び第２のＥＣＭ／ＥＭＭ生成部５４は、それぞれ、伝送路及び伝送方式に応じた同一のコンテンツに対してＥＣＭ／ＥＭＭを生成している。第２のＥＣＭ／ＥＭＭは、ＳＨＶＣ方式、例えば、拡張４Ｋ放送方式に応じて第２のＥＣＭ及び第２のＥＭＭをそれぞれ生成する。第１のＥＣＭ／ＥＭＭ生成部は、例えば、ワーク鍵を含む第２のＥＭＭをマスタ鍵で暗号化し、スクランブル鍵を含む第２のＥＣＭをワーク鍵で暗号化する。
【００４１】
セクション化部５２、５５は、夫々、入力される信号をセクション化する。  
ＰＥＳ化部４６は、クロック生成部３７からの第１のクロック信号に従って入力される信号をパケット化し、パケット化した信号に時間情報を付加する。
【００４２】
第２のスクランブラ４８は、入力される信号の暗号化処理を実行する。第２のスクランブラ４８は、入力される信号を伝送路及び伝送方式に応じてスクランブル鍵で暗号化する。第２のスクランブラ４８は、例えば、ＡＥＳ（Advanced Encryption Standard）で暗号化処理をする。第２の多重化処理部５６は、入力される信号をＴＳパケット多重化してＴＳ信号（第２のＴＳ信号）を生成する。第２のＰＳＩ／ＳＩ生成部５０は、ＰＳＩ及びＳＩを生成する。
【００４３】
本実施形態の送信機３では、送信信号処理装置４は、入力端子１０、１６、２２、及び４０を介して番組情報、スクランブル情報、高画質映像信号及び映像関連情報の信号が、夫々、入力される。送信信号処理装置４は、入力される種々の信号を第１の信号生成部５０１及び第２の信号生成部５０２に入力する。
【００４４】
第１の信号生成部５０１において、第１のＰＳＩ／ＳＩ生成部１２は、番組情報を取得し、第１のＥＣＭ／ＥＭＭ生成部１８は、スクランブル情報を取得する。第１のＥＣＭ／ＥＭＭ生成部１８は、取得したスクランブル情報からＥＣＭ（第１のＥＣＭ）及びＥＭＭ（第１のＥＭＭ）を生成し、第１のＰＳＩ／ＳＩ生成部１２及びセクション化部２０の各々に出力する。セクション化部２０は、取得したＥＣＭ及びＥＭＭの情報（信号）をセクション化し、第１の多重化処理部３０へ出力する。
【００４５】
第１のＰＳＩ／ＳＩ生成部１２は、取得した番組情報及びＥＣＭ及びＥＭＭからＰＳＩ及びＳＩを生成し、セクション化部１４へ出力する。セクション化部１４は、取得したＰＳＩ及びＳＩの情報（信号）をセクション化し、第１の多重化処理部３０へ出力する。
【００４６】
ダウンコンバータ２４は、基映像である高画質映像信号を取得し、取得した高画質映像信号を縮小映像信号にダウンコンバートし、生成した縮小映像信号をエンコーダ２６へ出力する。例えば、ダウンコンバータ２４は、４Ｋ映像信号を２Ｋ映像信号へ変換し、エンコーダ２６へ出力する。エンコーダ２６は、縮小映像信号を符号化処理し、符号化信号を生成する。エンコーダ２６は、生成した符号化信号をＰＥＳ化部２８及びデコーダ３４の各々に出力する。エンコーダ２６は、例えば、ＭＰＥＧ−２符号化方式によって２Ｋ映像信号を符号化処理し、符号化信号として出力する。
【００４７】
ＰＥＳ化部２８は、取得した符号化信号を符号化パケット信号として時間情報を付加してパケット化し、クロック生成部３７からの第１のクロック情報に従って第１のスクランブラ２９へ符号化パケット信号を逐次出力する。第１のスクランブラ２９は、符号化パケット信号を暗号化パケット信号（第１の暗号化パケット）として暗号化し、第１の多重化処理部３０へ出力する。
【００４８】
第１の多重化処理部３０は、セクション化部１４、セクション化部２０及び第１のスクランブラ２９から取得した第１の暗号化パケットをＴＳパケット多重化し、ＴＳ信号（第１のＴＳ信号）を生成し、生成した第１のＴＳ信号を伝送路符号化部３１へ出力する。伝送路符号化部３１は、第１のＴＳ信号に伝送路に対応した変調及び誤り訂正符号化の処理を施し、出力端子３２を介して第１のＴＳ信号を放送信号として出力する。なお、ＣＰＵ４０１は、エンコーダ２６及び第１の多重化処理部３０に出力のタイミング等を制御する。
【００４９】
また、エンコーダ２６から出力された符号化信号は、デコーダ３４へ入力される。デコーダ３４は、取得した符号化信号を第１の復号映像信号に復号し、復号した第１の復号映像信号をアップコンバータ３６へ出力する。例えば、デコーダ３４は、符号化信号をＭＰＥＧ２方式で２Ｋ映像信号に復号する。アップコンバータ３６は、取得した復号信号、例えば、２Ｋ映像信号を第１の拡大復号映像信号、例えば、第１の拡大４Ｋ映像信号にアップコンバートし、バッファ３８へ出力する。バッファ３８は、取得した第１の拡大復号映像信号を一時的に蓄積し、第２の信号生成部５０２のＳＨＶＣエンコーダ４４へ出力する。
【００５０】
第２の信号生成部５０２において、第２のＰＳＩ／ＳＩ生成部５０は、番組情報を取得し、第２のＥＣＭ／ＥＭＭ生成部５４は、スクランブル情報を取得する。第２のＥＣＭ／ＥＭＭ生成部５４は、取得したスクランブル情報からＥＣＭ（第２のＥＣＭ）及びＥＭＭ（第２のＥＭＭ）を生成し、第２のＰＳＩ／ＳＩ生成部５０及びセクション化部５５の各々に出力する。セクション化部５５は、取得したＥＣＭ及びＥＭＭの情報（信号）をセクション化し、第２の多重化処理部５６へ出力する。
【００５１】
第２のＰＳＩ／ＳＩ生成部５０は、ＣＰＵ４０１の指示に従って所定のコンテンツ又は基映像に対して、取得した番組情報及び第２のＥＣＭ及び第２のＥＭＭからＰＳＩ（第２のＰＳＩ）及びＳＩ（第２のＳＩ）を生成し、セクション化部５２へ出力する。このとき、ＰＳＩ／ＳＩ生成部５０は、ＰＭＴのデータ構造内のelementary_PIDに無効なＰＩＤ値（0x1FFF）が設定する。さらに、第２のＰＳＩ／ＳＩ生成部５０は、“elementary_stream_reference_descriptor()”なる名称で新規定義し、異なる伝送路のＥＳの参照を許可するための“network_id”と、異なる伝送方式のＥＳの参照を許可するための“transport_stream_id”とをＥＳ参照記述子に記述する。セクション化部５２は、取得したＰＳＩ及びＳＩの情報（信号）をセクション化し、第２の多重化処理部５６へ出力する。
【００５２】
メタデータ生成部４２は、映像関連情報を取得し、メタデータを生成し、メタデータをＨＶＣエンコーダ４４へ出力する。  
ＳＨＶＣエンコーダ４４は、入力される高画質映像信号及び第１の拡大復号映像信号の各々に含まれる同一の画像を同期させ、高画質画像と参照画像とのレイヤ間予測を実行することよって拡張予測画像信号を生成する。さらに、ＳＨＶＣエンコーダ４４は、生成した拡張予測画像信号を所定の時間間隔、且つ時系列に配列し、拡張予測画像信号から拡張予測映像を生成する。ＳＨＶＣエンコーダ４４は、拡張予測映像をスケーラブル符号化によってスケーラブル信号（拡張信号）に変換し、ＰＥＳ化部４６にスケーラブル信号を出力する。ＰＥＳ化部４６は、取得したスケーラブル信号に時間情報を付加してパケット化してスケーラブルパケット信号を生成し、クロック生成部３７からの第１のクロック情報に従って第２のスクランブラ４８へスケーラブルパケット信号を逐次出力する。第２のスクランブラ４８は、スケーラブルパケット信号を暗号化パケット信号（第２の暗号化パケット）として暗号化し、暗号化した第２の暗号化パケットを第２の多重化処理部５６へ出力する。
【００５３】
第２の多重化処理部５６は、セクション化部１４、セクション化部２０及び第１のスクランブラ２９から取得した信号をＴＳパケット多重化し、ＴＳ信号（第２のＴＳ信号）を生成し、生成した第２のＴＳ信号を伝送路符号化部５７へ出力する。伝送路符号化部５７は、第２のＴＳ信号に伝送路に対応した変調及び誤り訂正符号化の処理を施し、出力端子５８を介して第２のＴＳ信号を拡張映像信号として出力する。
【００５４】
なお、サブチャンネルを構成する信号である拡張映像信号は、メインチャンネルを構成する信号である基準映像信号とは異なる伝送路で伝送される。
【００５５】
（受信機）  
図５は、受信機５の一例を示すブロック図である。  
本実施形態の受信機５は、外部入力端子１０５と、入力部１１１と、信号処理部１１２と、システムコントローラ（システム制御部）１１３と、映像処理部１１４と、表示部１１５と、音声処理部１１６と、音声出力部１１７と、操作部１１９と、受信部１２０と、通信インターフェース１２１と、ネットワーク制御部１２２と、ＵＳＢ（Universal Serial Bus）インターフェース１２３と、ＨＤＭＩ（High-Definition Multimedia Interface）（登録商標）１２４と、記憶部１２５とを備えている。
【００５６】
外部入力端子１０５は、専用回線、端末機器及び／又は外部機器等と接続するための端子である。
【００５７】
入力部１１１は、放送を受信するアンテナ及び受信信号を選択するチューナ等により構成される。本実施形態において、入力部１１１は、複数のチューナ、例えば、放送信号及び拡張放送信号の各々に対応する２つのチューナを備えている。入力部１１１は、アンテナと接続し、放送事業者が放送用回線及び／又は空間波により供給する番組を受信する。また、入力部１１１は、伝送路及びネットワークを介して供給されるコンテンツ（番組等）を受信する。入力部１１１は、放送ストリーム（放送信号及び拡張放送信号）を受信し、１つまたは複数の番組放送を選択し、信号処理部１１２で利用可能な放送ストリームとする。入力部１１１は、受信した所定のチャンネル数の全てのコンテンツ（番組等）を信号処理部１１２へ送信する。入力部１１１は、外部入力端子１０５からも信号を取得することができる。
【００５８】
信号処理部１１２は、復元処理部２２１を備えている。信号処理部１１２は、受信した放送信号に多重化されている番組付帯情報を分離し、分離した番組付帯情報を映像処理部１１４に出力するとともに、記録ストリームをシステムコントローラ１１３に出力する。記録ストリームは、信号処理部１１２において入力部１１１で受信した放送ストリームから番組付帯情報を分離した情報である。信号処理部１１２は、入力部１１１から取得した放送の信号（放送信号及び拡張放送信号）を映像信号（ビデオ）（第１のＴＳ信号及び第２のＴＳ信号）と音声信号（オーディオ）と表示制御情報とに分離する。さらに、信号処理部１１２は、復元処理部２２１によって第１のＴＳ信号及び第２のＴＳ信号に対して復元処理を実行する。信号処理部１１２は、音声信号を音声処理部１１６に出力する。復元処理部２２１の詳細については後述する。
【００５９】
システムコントローラ（システム制御部）１１３は、受信機５の各部の動作を制御する。すなわち、システムコントローラ１１３は、入力部１１１、信号処理部１１２、映像処理部１１４、表示部１１５、音声処理部１１６、音声出力部１１７、ＤＭＳ部１１８、操作部１１９、受信部１２０、通信インターフェース（Ｉ／Ｆ）１２１、ネットワーク制御部１２２、ＵＳＢインターフェース（Ｉ／Ｆ）１２３、ＨＤＭＩ１２４、及び記憶部１２５等を制御する。システムコントローラ１１３は、後述する信号処理部１１２の復元処理部２２１の各部に接続され、復元処理部２２１の処理を制御する。
【００６０】
システムコントローラ１１３は、受信部１２０が受信するリモコン端末（リモートコントローラ）３０２、キーボード３０６や携帯型端末、例えば、スマートフォン、携帯電話、タブレット、及びノートＰＣ等からの入力信号（操作指示信号）に対応する各種の制御コマンドを出力する。ここで、制御コマンドとは、例えば、テレビ方法（番組）の録画、録画されたコンテンツ（番組）の再生、等を指示するコマンドである。
【００６１】
また、システムコントローラ１１３は、ＣＰＵ１３２と、ＲＯＭ（Read Only Memory）１３４と、ＲＡＭ（Random Access Memory）１３６と、ＮＶＭ(Non-Volatile Memory)１３８とを含む。  
ＣＰＵ１３２は、動作を制御するメインプロセッサである。ＣＰＵ１３２は、受信機５の本体に設けられた操作部１１９からの操作情報、又は、リモートコントローラ３０２から送信され受信部１２０で受信された操作情報を受けることにより、それら操作情報の操作内容が反映されるように各部をそれぞれ制御する。
【００６２】
ＲＯＭ（読取専用メモリ）１３４は、システムコントローラ１１３（ＣＰＵ１３２）が実行する制御プログラムを保持する。  
ＲＡＭ（ランダムアクセスメモリ（ワークメモリ））１３６は、システムコントローラ１１３（ＣＰＵ１３２）に作業エリアを提供する。  
ＮＶＭ（不揮発性メモリ）１３８は、受信機５の各種の設定情報および制御情報等を保持する。また、不揮発性メモリ１３８は、番組表の構築内容情報を保持することもできる。
【００６３】
映像処理部１１４は、信号処理部１１２から取得した映像信号（第１の表示信号及び／又は第２の表示信号）をデコードし、デコードした映像信号を表示部１１５で表示可能な所定の解像度及び出力方式に変換する。映像処理部１１４は、システムコントローラ１１３から出力される信号を受けて、ＯＳＤ（On Screen Display）信号を生成する。例えば、映像処理部１１４は、ＯＳＤ信号として統合番組表の表示信号を生成する。映像処理部１１４は、ＯＳＤ信号と変換された映像信号とを合成（多重化）し、ＯＳＤ信号と変換された映像信号との合成映像信号を表示部１１５へ出力する。映像処理部１１４は、外部機器として接続される外部モニタ装置あるいは投影装置（プロジェクタ装置）等の出力端に前述の合成映像信号を出力してもよい。
【００６４】
表示部１１５は、映像処理部１１４から合成映像信号を映像として表示する。リモコン端末３０２及びその他の携帯端末等からの操作信号を受信部１２０が受信した際に、表示部１１５は、操作信号に従って映像を表示する。また、ＵＳＢインターフェース１２３を介してキーボード３０６からの操作信号が出力された場合にも、表示部１１５は、キーボード３０６からの操作信号に従って映像を表示することができる。
【００６５】
音声処理部１１６は、入力部１１１が受信する番組の音声／音響信号（オーディオ）をデコードし、音声出力部１１７に出力する。
【００６６】
操作部１１９は、ユーザによる直接操作に対応する制御コマンドをシステムコントローラ１１３に入力する。
【００６７】
受信部１２０は、外部端末、例えば、リモコン端末３０２、及び携帯型端末等からの入力信号に対応する制御コマンドをシステムコントローラ１１３に入力する。
【００６８】
通信インターフェース１２１は、例えば、ＷｉＦｉ（Wireless Fidelity）規格等に準拠する近距離無線通信機器との間の無線通信を実現する。なお、近距離無線通信規格としては、例えばＢｌｕｅｔｏｏｔｈ（登録商標）規格やＮＦＣ（Near Field Communication）等も利用可能である。通信インターフェース１２１は、また、有線方式／無線方式のいずれであってもよく、例えば、ワイヤレスキーボードやマウス等との間の信号の送受信が可能な通信ユニット等が接続する。また、通信インターフェース１２１は、例えば、非接触のカード媒体との間の通信が可能なカードリーダー（読取部）３０４等との通信もできる。
【００６９】
ネットワーク制御部１２２は、外部ネットワーク、例えば、インターネット３００へのアクセスを制御する。ネットワーク制御部１２２は、インターネット３００上で情報の送受信を実行する。
【００７０】
ＵＳＢインターフェース１２３は、例えば、ＵＳＢ規格に準拠する外部機器、例えばキーボード３０６等が接続される。  
ＨＤＭＩ１２４は、ＨＤＭＩ規格またはＭＨＬ（Mobile High-definition Link）規格を利用する複数の機器の間の有線通信を可能にする。
【００７１】
記憶部１２５は、例えば、ＨＤＤ（Hard Disk Drive）であり、受信機５の各種設定情報及び受信したコンテンツ、表示部１１５に表示される映像等を記録する。なお、記憶部１２５は、外部機器としてＵＳＢインターフェース１２３を介して接続されていてもよい。
【００７２】
次に、図を参照して復元処理部２２１の構成について以下で説明する。  
図６は、受信機５の信号処理部１１２に備えられる復元処理部２２１の一例を示すブロック図である。  
復元処理部２２１は、入力部１１１で選局された放送信号に復号処理を施し、映像信号、音声信号、字幕／文字スーパー情報及び番組関連情報をそれぞれ復元する。復元処理部２２１は、他にも音声信号及び各種の情報（信号）等の処理系も備えているが、簡単化のため図示していない。図６では、２種類の線が示されているが、図２と同様に２重線は、コンテンツの信号、例えば、映像信号を含む信号の入出力を示し、実線は、制映像信号を含まない、例えば、制御信号及び情報（信号）を含む信号の入出力を示す。なお、第１の信号処理部６０１及び第２の信号処理部６０２において、システム時刻基準値（System Time Clock : STC）は、共通である。
【００７３】
復元処理部２２１は、各種の信号を入力するために複数の入力端子及び伝送路複合部を備えている。本実施形態において、復元処理部２２１は、入力端子６０、８０と、伝送路復号部６２、８２、クロック再生制御部７２と、アップコンバータ７４と、バッファ７６と、出力セレクタ（選局部）９６と、出力端子９７と、第１の信号処理部６０１と、第２の信号処理部６０２と、を備えている。なお、復元処理部２２１は、各部がＣＰＵ１３２によって制御処理されている。すなわち、ＣＰＵ１３２は、クロック再生制御部７２と、アップコンバータ７４と、バッファ７６と、出力セレクタ９６と、第１の信号処理部６０１と、第２の信号処理部６０２等を制御する。
【００７４】
本実施形態において、入力端子６０は、放送信号が入力され、伝送路復号部６２に出力する。入力端子８０は、拡張放送信号が入力され、伝送路復号部８２に出力する。伝送路復号部６２、８２は、入力される放送信号を復調し、伝送路復号処理によって伝送路に対応した復号化処理が解除される。伝送路復号部６２、８２は、復号した信号（第１のＴＳ信号及び第２のＴＳ信号）を出力する。
【００７５】
クロック再生制御部７２は、復号のタイミングを同期するための第２のクロック情報を生成し、第２の多重化分離部８４から取得した時間情報を出力する。また、クロック再生制御部７２は、ＳＴＣが共通であるため、ＰＣＲに基づいてデコーダ６８及びＳＨＶＣデコーダ７８を同期制御することができる。
【００７６】
アップコンバータ７４は、入力される映像信号の解像度、画面サイズ及び色帯域をアップコンバートする。アップコンバータ７４は、デコーダ６８によって復号される映像信号（第２の復号映像信号）をアップコンバートし、アップコンバートによって生成された映像信号（第２の拡大復号映像）信号を生成し、この第２の拡大復号映像を出力する。例えば、アップコンバータ７４は、入力される２Ｋ映像信号の解像度を４Ｋ映像信号（第２の拡大４Ｋ映像信号）の解像度に変換する。  
バッファ７６は、各種信号を一時的に蓄積するための記憶領域回路である。
【００７７】
出力セレクタ９６は、時間情報に基づいて、入力される映像信号に含まれる画像を所定の表示タイミングで選択し、時系列に順番に画像を配列させて映像として出力する。なお、出力セレクタ９６は、音声、及び番組表等を含む情報（信号）を出力する映像に対応させて、出力することもできる。出力セレクタ９６は、選択された映像信号（選択映像信号）と、選択映像信号を識別するための選択情報とを出力する。受信機５において、出力された選択映像信号は、映像処理部１１４を介して表示部１１５に表示される。また、出力セレクタ９６は、ＰＳＩ／ＳＩ処理部９０及びＣＰＵ１３２からの信号（指示信号）に従って映像信号を選択して出力することもできる。すなわち、拡張映像信号の第２のＰＳＩ及び第２のＳＩの情報のみで、出力セレクタ９６は、メインチャンネル及びサブチャンネルに出力する信号を選択し、選択信号（選択映像信号）として出力することができる。なお、出力セレクタ９６は、後述するＰＳＩ／ＳＩ処理部９０及びＣＰＵ１３２からの指示信号に従って、互いに異なるＴＳに含まれるＥＳを選択して、出力することができる。例えば、出力セレクタ９６は、サブチャンネルとして表示する映像、例えば、４Ｋ映像信号に、メインチャンネルで出力される映像に含まれる画像を差し込むこともできる。また、出力セレクタ９６は、サブチャンネルとして表示する４Ｋ映像に対応するように、メインチャンネルで出力される音声を出力することもできる。
【００７８】
第１の信号処理部６０１は、入力端子６０から第１のＴＳ信号が入力され、第１のＴＳ信号をメインチャンネルの映像信号（第１の表示信号）に復号する。第２の信号処理部６０２は、入力端子８０から第２のＴＳ信号が入力され、第２のＴＳ信号をサブチャンネルの映像信号（第２の表示信号）に復号する。第１の信号処理部６０１は、例えば、第１のＴＳ信号を２Ｋ映像信号に復号し、第２の信号処理部６０２は、例えば、第１のＴＳ信号（２Ｋ映像信号）及び第２のＴＳ信号（４Ｋ放送用映像の拡張映像信号）を第２の高画質映像信号（４Ｋ映像信号）に復号する。なお、第１の信号処理部６０１は、現行のＴＶ放送、例えば、ＨＤ放送に対応する受信機とほぼ同等の構成である。すなわち、現行の受信機、例えば、ＴＶ受信機は、本実施形態の送受信システム１に適用したとしても、ＨＤ（２Ｋ）放送信号を受信し、表示することができる。
【００７９】
第１の信号処理部６０１及び第２の信号処理部６０２の構成について説明する。  
はじめに、第１の信号処理部６０１について以下で説明する。  
第１の信号処理部６０１は、第１の多重化分離部６４と、第１のデスクランブラ６６と、第１のＥＣＭ／ＥＭＭ処理部７０と、デコーダ６８とを備えている。
【００８０】
第１の多重化分離部６４は、入力された信号を各種情報（信号）と映像信号とに分離し、分離した各種信号を出力する。また、第１の多重化分離部６４は、設定されたフィルタ条件を満たす信号のみを取り込むＰＩＤフィルタを備える。第１の多重化分離部６４は、ＣＰＵ１３２の指示に従ってＰＩＤフィルタの値を設定することができる。第１の多重化分離部６４は、ＰＡＴを取り出し、操作信号等によって指定されたコンテンツのＰＭＴのＰＩＤを取り出し、このＰＩＤで指定されたＰＭＴと取り出し、このＰＭＴで指定された映像信号を取り出して、取り出された映像信号及び時間情報信号を出力する。  
第１のデスクランブラ６６は、入力された信号に暗号化解除の処理を実行する。第１のデスクランブラ６６は、例えば、スクランブル鍵で暗号化処理された各種信号を解除する。第１のデスクランブラ６６は、例えば、ＭＵＬＴＩ２の暗号化解除の処理を実行する。
【００８１】
第１のＥＣＭ／ＥＭＭ処理部７０は、入力された信号からＥＣＭ及びＥＭＭからスクランブル鍵を取り出す処理をする。第１のＥＣＭ／ＥＭＭ処理部７０は、暗号化されたＥＭＭを受信機５に関連する固有の鍵で復号し、復号したＥＭＭからワーク鍵を取り出す。次に、第１のＥＣＭ／ＥＭＭ処理部７０は、ワーク鍵を用いてＥＣＭを復号し、復号したＥＣＭからスクランブル鍵を取り出す。第１のＥＣＭ／ＥＭＭ処理部７０は、取り出したスクランブル鍵の情報を出力する。
【００８２】
デコーダ６８は、入力された信号のパケット化を解いて、パケット化を解いた信号の復号処理を実行する。デコーダ６８は、例えば、ＭＰＥＧ―２符号化形式で符号化信号を復号し、復号した２Ｋ映像信号を出力する。  
次に、第２の信号処理部６０２について以下で説明する。  
第２の信号処理部６０２は、第２の多重化分離部８４と、第２のＥＣＭ／ＥＭＭ処理部８６と、第２のデスクランブラ８８と、ＰＳＩ／ＳＩ処理部９０と、ＳＨＶＣデコーダ７８と、メタデータ処理部９２と、高画質化処理部９４とを備えている。
【００８３】
第２の多重化分離部８４は、入力された信号を各種情報（信号）と映像信号とに分離し、分離した各種信号を出力する。第２の多重化分離部８４は、入力された信号に含まれる時間情報をクロック再生制御部に出力する。第２の多重化分離部８４は、設定されたフィルタ条件を満たす信号のみを取り込むＰＩＤフィルタを備える。第２の多重化分離部８４は、ＣＰＵ１３２の指示に従ってＰＩＤフィルタの値を設定することができる。第２の多重化分離部８４は、ＰＳＩからＰＡＴを取り出し、操作信号等によって指定されたコンテンツのＰＭＴのＰＩＤを取り出し、このＰＩＤで指定されたＰＭＴと取り出し、このＰＭＴで指定された映像信号を取り出して、取り出された映像信号及び時間情報信号を出力する。第２の多重化分離部８４は、ＰＭＴのデータ構造内のelementary_PIDに無効なＰＩＤ値（0x1FFF）を取り出した場合には、異なる伝送路及び伝送方式の信号内のコンポーネント指定であることを識別し、識別情報を出力する。
【００８４】
第２のＥＣＭ／ＥＭＭ処理部８６は、入力された信号からＥＣＭ及びＥＭＭからスクランブル鍵を取り出す処理をする。第１のＥＣＭ／ＥＭＭ処理部７０は、暗号化されたＥＭＭを受信機５に関連する固有の鍵で復号し、復号したＥＭＭからワーク鍵を取り出す。次に、第１のＥＣＭ／ＥＭＭ処理部７０は、ワーク鍵を用いてＥＣＭを復号し、復号したＥＣＭからスクランブル鍵を取り出す。第１のＥＣＭ／ＥＭＭ処理部７０は、取り出したスクランブル鍵の情報を出力する。
【００８５】
第２のデスクランブラ８８は、入力された信号に暗号化解除の処理を実行する。第２のデスクランブラ８８は、例えば、スクランブル鍵で暗号化処理された各種信号の各々を解除する。第２のデスクランブラ８８は、例えば、ＡＥＳの暗号化解除の処理を実行する。
【００８６】
ＰＳＩ／ＳＩ処理部９０は、ＣＰＵ１３２の指示に従って番組特定情報（ＰＳＩ）と、サービス情報（ＳＩ）とを処理し、ＰＳＩ及びＳＩ等に関連する情報（信号）を出力する。また、ＰＳＩ／ＳＩ処理部９０は、ＰＳＩに含まれるＰＭＴ内の新規定義された記述子を読み込み、異なる伝送路及び異なる伝送方式で伝送される信号のＥＳを参照する。ＰＳＩ／ＳＩ処理部９０は、参照したＥＳから異なる伝送路及び異なる伝送方式で伝送される信号から必要なＥＳを抽出する。ＰＳＩ／ＳＩ処理部９０は、ＣＰＵ１３２の指示信号に従って抽出したＥＳから選局する映像信号及び表示タイミング等を含む選局手順及び表示可能なコンテンツを規定する選局リスト（選局情報）を生成する。ここで、選局リストは、選局対象となる複数の表示信号の選局の手順（タイミング）、及び指示等の選局を制御するための情報である。ＰＳＩ／ＳＩ処理部９０は、第１の多重化分離部６４、第２の多重化分離部８４、及び出力セレクタ９６と信号の送受信をする。
【００８７】
図７は、異なる伝送路及び伝送方式の信号間におけるＥＳの参照を示す模式図である。図７に示すように、ＰＳＩ／ＳＩ処理部９０は、第２のＰＳＩに含まれる第１の選局制御情報が記述されたＰＭＴを読み込むことによって、同一の信号におけるＥＳだけではなく、異なる信号（ＴＳ信号）内のＰＳＩに含まれるＰＭＴを参照しているのと同等の処理が可能になり、異なるＴＳ信号内のＥＳを参照することができる。すなわち、本実施形態の受信機５（ＣＰＵ１３２）は、第２のＰＳＩのＰＭＴを参照するのみで、第１のＰＳＩのＰＭＴを参照することなく、第１のＴＳ信号内に含まれるＥＳを参照することができる。その結果、ＰＳＩ／ＳＩ処理部９０は、第２のＰＳＩのＰＭＴを参照するのみで、ＣＰＵ１３２の指示に従って必要なＥＳを抽出し、抽出したＥＳによって選局リストを生成することができる。例えば、ＰＳＩ／ＳＩ処理部９０は、第２のＰＳＩに含まれるＰＭＴ（Service Y）を読み込むことによって、第１のＰＳＩに含まれるＰＭＴ（service X）内を読み込むのと同等の処理（同一の情報、又は同一のサービスとして処理）が可能となり、第１のＴＳ信号内に含まれるＥＳを参照することができる。例えば、図７に示すように、ＰＳＩ／ＳＩ処理部９０は、第２のＴＳ信号に含まれるＰＭＴ（Service Y）を参照することによって、第１のＴＳ信号に含まれるＥＳ、例えば、２ＫのＭＰＥＧ−２形式の映像、５．１ＣｈのＭＰＥＧ−２形式の音楽、及び、字幕１等を参照することができる。
【００８８】
ＳＨＶＣデコーダ７８は、入力される信号のパケット化を解いて、パケット化を解いた信号に復号処理を実行する。本実施形態において、ＳＨＶＣデコーダ７８は、入力されるスケーラブル符号化（ＳＨＶＣ（ＭＰＥＧ−ＨＥＶＣ  Ｖｉｄｅｏ）符号化）された映像信号の復号処理を実行する。ＳＨＶＣデコーダ７８は、ＳＨＶＣ符号化方式に対応して、拡張予測画像の復号際に、インター予測（動き補償予測）、イントラ予測（画面内予測）、及びレイヤ間予測（画像間予測）のいずれかを実行できる。ＳＨＶＣデコーダ７８は、ＳＨＶＣ符号化形式でスケーラブル信号を拡張予測映像信号に復号する。例えば、ＳＨＶＣデコーダ７８は、復号した拡張予測映像信号と第２の拡大映像信号（例えば、４Ｋ映像信号）を構成する第２の拡大映像信号とをレイヤ間予測することによって高画質映像信号（従高画質信号）（例えば、４Ｋ映像信号）を生成する。ＳＨＶＣデコーダ７８は、生成した高画質映像信号を出力する。なお、ＳＨＶＣエンコーダ４４は、レイヤ間予測以外の予測方式によって高画質映像信号を生成することもできる。
【００８９】
メタデータ処理部９２は、メタデータから高画質化するためのコントラスト、色帯域、及び諧調特性等のグレーディングするためのグレーディング情報を生成し、生成したグレーティング情報を出力する。メタデータ処理部９２は、高画質映像、例えば、４Ｋ映像に関連するグレーティング情報を生成する。
【００９０】
高画質化処理部９４は、グレーティング情報に従って入力される映像信号をグレーティングすることによって高画質化する。高画質化処理部９４は、例えば、明るさ、コントラスト、色帯域、及びフィルタ効果の付与等、高画質な雰囲気の映像にするための種々の画像処理を実行する。
【００９１】
本実施形態の受信機５では、復元処理部２２１は、入力端子６０、８０を介して放送信号及び拡張放送信号がそれぞれ入力される。復元処理部２２１は、放送信号を伝送路復号部６２で伝送路復号を施し、伝送路復号した第１のＴＳ信号を第１の多重化分離部６４へ出力する。また、復元処理部２２１は、ＣＰＵ１３２に従って拡張放送信号を伝送路復号部８２で伝送路復号を施し、伝送路復号した第２のＴＳ信号を第２の多重化分離部８４へ出力する。
【００９２】
第１の信号処理部６０１において、第１の多重化分離部６４は、伝送路復号部８２を介してＰＩＤフィルタに設定された信号のみを取り込む。第１の多重化分離部６４は、第１のＴＳ信号を伝送路復号して取得される第１の暗号化パケットと、第１のＥＣＭ及び第１のＥＭＭの情報（信号）と、及びその他の信号とに分離する。第１の多重化分離部６４は、第１の暗号化パケットを第１のデスクランブラ６６に出力し、第１のＥＣＭ及び第１のＥＭＭの情報（信号）を第１のＥＣＭ／ＥＭＭ処理部７０へ出力する。
【００９３】
第１のＥＣＭ／ＥＭＭ処理部７０は、第１のＥＣＭ及び第１のＥＭＭからスクランブル鍵を取り出し、第１のデスクランブラ６６へ出力する。第１のデスクランブラ６６は、第１のＥＣＭ／ＥＭＭ処理部７０から取得したスクランブル鍵を適用して、第１の暗号化パケットの暗号化を解除し、暗号化を解除された符号化パケットをデコーダ６８へ出力する。
【００９４】
デコーダ６８は、符号化パケットのパケット化を解いて、入力される信号を復号する。デコーダ６８は、入力される符号化信号を表示部１１５で映像として表示するための表示信号（第１の表示信号、基準映像信号）、例えば、２Ｋ映像信号に復号する。デコーダ６８は、クロック再生制御部７２の第２のクロック情報に従って、復号した第１の表示信号、例えば、２Ｋ映像信号をアップコンバータ７４及び出力セレクタ９６へ出力する。
【００９５】
クロック再生制御部７２は、第２の多重化分離部８４から時間情報を取得し、第２のクロック情報を生成し、デコーダ６８及びＳＨＶＣデコーダ７８へ出力する。クロック再生制御部７２は、ＳＴＣが共通であるため、ＰＣＲに基づいてデコーダ６８及びＳＨＶＣデコーダ７８の同期制御を実行する。
【００９６】
アップコンバータ７４は、取得した第１の表示信号、例えば、２Ｋ映像信号を第２の拡大映像信号（例えば、４Ｋ映像信号）へアップコンバートし、バッファ７６へ出力する。  
第２の信号処理部６０２において、第２の多重化分離部８４は、伝送路復号部８２を介してＰＩＤフィルタに設定された信号のみを取り込む。第２の多重化分離部８４は、第２のＰＳＩ及び第２のＳＩの情報（信号）と、第２のＥＣＭ及び第２のＥＭＭの情報（信号）と、放送信号を伝送路復号して取得される第２のＴＳ信号と、時間情報の信号と、その他の信号とに分離する。第２の多重化分離部８４は、ＰＭＴのデータ構造内のelementary_PIDに無効なＰＩＤ値（0x1FFF）を取り出した場合には、異なる伝送路及び伝送方式の信号内のコンポーネント（ＥＳ）指定であることを識別し、識別情報と第２のＰＳＩ及び第２のＳＩの情報（信号）とを第２のＰＳＩ／ＳＩ処理部９０に出力する。さらに、第２の多重化分離部８４は、第２のＥＣＭ及び第２のＥＭＭの情報（信号）を第２のＥＣＭ／ＥＭＭ処理部８６に出力し、第２の暗号化パケットを第２のデスクランブラ８８に出力し、出力する。また、第２の多重化分離部８４は、時間情報をクロック再生制御部７２に出力する。
【００９７】
第２のＰＳＩ／ＳＩ処理部９０は、“elementary_stream_reference_descriptor()”なる名称で新規定義された記述子を読み込み、異なる伝送路のＥＳの参照を許可するための“network_id”と、異なる伝送方式のＥＳの参照を許可するための“transport_stream_id”との記述に従って第１のＴＳ信号のＥＳを参照する。ＰＳＩ／ＳＩ処理部９０は、ＣＰＵ１３２の指示信号に従って必要なＥＳを抽出し、抽出したＥＳから選局リストを生成する。ＰＳＩ／ＳＩ処理部９０は、生成した選局リスト及び時間情報等を出力セレクタ９６に出力する。
【００９８】
第２のＥＣＭ／ＥＭＭ処理部８６は、第２のＥＣＭ及び第２のＥＭＭからスクランブル鍵を取り出し、第２のデスクランブラ８８へ出力する。第２のデスクランブラ８８は、第２のＥＣＭ／ＥＭＭ処理部８６から取得したスクランブル鍵を適用して、第２の暗号化パケットの暗号化を解除し、暗号化を解除されたスケーラブルパケットをＳＨＶＣデコーダ７８へ出力する。
【００９９】
ＳＨＶＣデコーダ７８は、スケーラブルパケットのパケット化を解いて、ＭＰＥＧ−ＨＥＶＣ符号化形式でスケーラブル信号を拡張予測映像信号に復号し、復号した拡張予測映像信号と第２の拡大映像信号（４Ｋ映像信号）とからレイヤ間予測によって従高画質映像信号が生成する。ＳＨＶＣデコーダ７８は、拡張映像信号に含まれるメタデータをメタデータ処理部９２へ出力し、従表示信号を高画質化処理部へ出力する。
【０１００】
メタデータ処理部９２は、ＳＨＶＣデコーダ７８から取得したメタデータからグレーディング情報を生成し、生成したグレーティング情報を高画質化処理部９４へ出力する。  
高画質化処理部９４は、グレーティング情報に従って入力される従高画質信号（例えば、４Ｋ映像信号）をグレーティングすることによって高画質化処理し、高画質化した主高画質映像信号（第２の表示信号、高画質映像信号、第２の高画質映像信号）（例えば、主４Ｋ映像信号）を出力セレクタ９６へ出力する。
【０１０１】
出力セレクタ９６は、ＰＳＩ／ＳＩ処理部９０で生成される選局リスト及び時間情報に基づいて、入力される第１の表示信号（２Ｋ映像信号）及び第２の表示信号（４Ｋ映像信号（第２の高画質映像信号））の各々に含まれる画像信号を所定の表示タイミングで選択し、出力端子９７を介して出力する。また、出力セレクタ９６は、ＰＳＩ／ＳＩ処理部９０から選局リスト信号を受信して、選局リスト及び／又はＣＰＵ１３２の指示信号に従って第１の表示信号（２Ｋ映像信号）及び第２の表示信号（４Ｋ映像信号）を選択して、それぞれの選択信号（選択映像信号）を出力する。
【０１０２】
次に、受信機５の選局処理について説明する。  
図８は、本実施形態の受信機５の選局処理の一例を示す図である。  
受信機５は送信機３から放送信号及び拡張放送信号を受信した場合、Ｓ９０１において、復元処理部２２１の第２の多重化分離部８４は、ＣＰＵ１３２の指示に従って第２のＴＳ信号のＰＭＴを参照する。
【０１０３】
第２のＴＳ信号のＰＭＴを参照した際に、Ｓ９０２において、ＣＰＵ１３２は、elementary_PIDが0x1FFFであるかを判断する。elementary_PIDが0x1FFFである場合（Ｓ９０２のＹＥＳ）、ＣＰＵ１３２の指示に従ってＰＳＩ／ＳＩ処理部９０は、第１のＴＳ信号のＥＳ参照記述子（第１の選局制御情報）を参照し、必要なＥＳを抽出する。ＰＳＩ／ＳＩ処理部９０は、抽出したＥＳから選局リストを生成し、出力セレクタ９６へ出力する。  
elementary_PIDが0x1FFFでない場合（Ｓ９０２のＮｏ）、Ｓ９０７において、第２の多重化分離部８４は、ＰＩＤフィルタを設定し、第２のＴＳ信号をフィルタリングする。
【０１０４】
Ｓ９０４において、出力セレクタ９６は、ＣＰＵ１３２の指示に従って選局リストを参照し、選局リストに従って２Ｋ映像信号（基準映像信号、第１の表示信号）及び高画質映像信号（基準映像信号、第２の表示信号）を選択する。出力セレクタ９６は、選択した映像信号を表示部１１５に出力する。Ｓ９０５において、ＣＰＵ１３２は、デコーダ６８にメインチャンネルＴＳの切り替えを実行させる。Ｓ９０６において、第１の多重化分離部６４は、ＰＩＤフィルタを設定し、第１のＴＳ信号をフィルタリングする。
【０１０５】
Ｓ９０８において、ＣＰＵ１３２は、ＰＭＴ内のＥＳループが終了しているかどうかを判断する。ＰＭＴ内のＥＳループが終了した場合（Ｓ９０８のＹＥＳ）、受信機５は、選局処理を終了する。ＰＭＴ内のＥＳループが終了していない場合には（Ｓ９０８のＮＯ）、受信機５は、最初の処理（Ｓ９０１）に戻り、一連の処理を繰り返す。
【０１０６】
図９は、本実施形態のメインチャンネル及びサブチャンネルの関係の一例を示す概要図である。  
本実施形態の送受信システム１において、サブチャンネルを構成する第２のＴＳ信号に第１の選局制御情報が所定の映像信号の情報（信号）に新規定義されているために、受信機５は、サブチャンネルとして種々の信号を組み合わせて出力することができる。
【０１０７】
図９の番組Ａに示すように、第１の選局制御情報が読み取られなかった場合には、受信機５は、拡張映像信号が伝送されていないと判断し、メインチャンネル（番組Ａ）を表示する。
【０１０８】
図９の番組Ｂで示すように、第１の選局制御情報が読み取られた場合には、受信機５は、メインチャンネルとして番組Ｂを表示することができ、サブチャンネルとして番組Ｂ´を表示することができる。このとき、番組Ｂは、２Ｋ映像の番組であり、番組Ｂ´は、４Ｋ映像の番組である。
【０１０９】
図９の番組Ｃで示すように、第１の選局制御情報が読み取られた場合には、リモコン端末３０２及びＣＰＵ１３２の指示信号によって、受信機５は、出力するコンポーネントの組合せを自由に設定することもできる。例えば、受信機５は、サブチャンネルとして４Ｋ映像の番組に、メインチャンネルのＴＳに含まれる音声を出力することもできる。
【０１１０】
図９の番組Ｄに示すように、第１の選局制御情報が読み取られた場合には、リモコン端末３０２及びＣＰＵ１３２の指示信号によって、受信機５は、出力する映像の組合せを自由に設定することもできる。例えば、受信機５は、サブチャンネルとして２Ｋ映像の番組の途中の映像を４Ｋ映像の番組又はＣＭ等に差し替えることができる。
【０１１１】
なお、受信機５は、リモコン端末３０２及びＣＰＵ１３２の指示信号に従って、メインチャンネル及びサブチャンネルを選択して表示することができる。
【０１１２】
本実施形態によれば、送受信システム１において、送信機３は、取り出した際に完結定義する選局制御情報をサブチャンネルの拡張映像信号に備える。本実施形態の送受信システム１において、送信機３が取り出した際に完結定義する選局制御情報をサブチャンネルの拡張放送信号に備えていることによって、受信機５は、一方のＴＳに含まれるＰＭＴを参照し、処理を実行することによって、もう一方のＴＳに含まれるＰＭＴを参照し、処理する必要がなくなる。その結果、本実施形態の送受信システム１は、高画質放送に対応する円滑且つ効率的に選局処理を実行することができる。
【０１１３】
また、本実施形態の送受信システム１は、例えば、第１の信号生成部５０１が現行の放送サービスとほぼ同等の構成であってもよい。したがって、本実施形態の送受信システム１は、現行の放送サービス、例えば、ＨＤ放送サービスと互換性を有する。すなわち、本実施形態の送受信システム１において、現行、例えば、ＨＤ放送等に対応する受信機は、送信機３から出力される基準映像信号を受信し、ＨＤ映像の番組を表示することができ、高画質映像、例えば、４Ｋ映像放送に対応する受信機は、送信機３から出力される基準映像信号及び拡張映像信号を受信して、選局制御情報を参照して円滑且つ効率的に４Ｋ映像の表示することができる。そのため、送受信システム１は、既存の放送対応受信機に対し、想定外の動作など受信処理上の不具合を発生させる危険性が低い。
【０１１４】
次に他の実施形態に係る送受信システムについて説明する。他の実施形態において、前述した実施形態と同一の部分には同一の参照符号を付してその詳細な説明を省略する。
【０１１５】
（第２の実施形態）  
第２の実施形態において、送信機３は、新規定義されるサービスグループ記述子をさらに備えている。
【０１１６】
図１０は、新規定義されるサービスグループ記述子のデータ構造の一例を示す図である。  
本実施形態の送信機３において、第２のＰＳＩ／ＳＩ生成部５０は、第２のＰＳＩのＰＭＴに含まれるＮＩＴに新たにメインチャンネル及びサブチャンネルを関連付ける記述子（第２の選局制御情報（第２の選局制御記述子））を記述する。第２のＰＳＩ／ＳＩ生成部５０は、放送及び通信のネットワーク（伝送路）のサービスグループ記述子（ＮＩＴ）の“service_group_descriptor(){}”に、拡張サービス（拡張チャンネル）を示す“if(service_group_type = = 2){}” （第２の選局制御情報（第２の選局制御記述子））を新たに記述する。拡張サービスの記述内には、どの伝送路のサービスと関連するかを示す “primary_network_id”と、どの伝送方式（例えば、ＴＳ）のサービスと関連するかを示す“primary_ts _id”とが記述されている。すなわち、受信機３（ＣＰＵ１３２）は、第２のＰＳＩのＰＭＴ（に含まれる第２の選局制御情報）を参照するのみで、関連する異なる伝送路及び／又は異なる伝送方式で伝送される信号を識別することができる。
【０１１７】
次に、本実施形態の受信機５の選局リストの作成処理について説明する。  
図１１は、本実施形態の受信機５における選局リストの作成処理の一例を示す図である。  
受信機５は送信機３から放送信号及び拡張放送信号を受信した場合、復元処理部２２１の第２の多重化分離部８４は、ＣＰＵ１３２の指示に従って第２のＴＳ信号のＰＭＴに含まれるＮＩＴを参照する（Ｓ１００１）。
【０１１８】
第２のＴＳ信号のＮＩＴを参照した際に、Ｓ１００２において、ＣＰＵ１３２は、if(service_group_type = = 2){}（第２の選局制御情報）が存在するかを判断する。ＣＰＵ１３２は、ＮＩＴのgroup_type=2が指定されていれば拡張データ（第２のＴＳ信号）であることを識別し、サブサービスに関連する信号であることを識別する。その結果、ＣＰＵ１３２は、第２の選局制御情報を用いてこのサブサービスに関連付けられているメインサービスに関連する信号（第１のＴＳ信号）も識別することができる。
【０１１９】
if(service_group_type = = 2){}が存在する場合（Ｓ１００２のＹＥＳ）、Ｓ１００３において、ＣＰＵ１３２の指示に従ってＰＳＩ／ＳＩ処理部９０は、サブサービスを選局対象として選局リストに追加し、この選局リストを出力セレクタ９６へ出力する。  
if(service_group_type = = 2){}が存在しない場合（Ｓ１００２のＮＯ）、Ｓ１００６において、ＣＰＵ１３２の指示に従ってＰＳＩ／ＳＩ処理部９０は、メインサービスを選局対象として選局リストに追加し、この選局リストを出力セレクタ９６へ出力し、Ｓ１００７の処理へ進む。
【０１２０】
Ｓ１００４において、ＣＰＵ１３２は、メインサービスの選局処理をスキップするかどうかを判断する。メインサービスの選局処理をスキップする場合（Ｓ１００４のＹＥＳ）、Ｓ１００５において、ＰＳＩ／ＳＩ処理部９０は、第２の選局制御情報を用いてメインサービスの選局をスキップ（除外）することを示す情報を所定の信号に追加し、情報を追加した信号をスキップするように選局リストを更新する。例えば、Ｓ１００３で選局リストに追加されたサブサービスに対応するメインサービスのスキップが受信機５のＣＰＵ１３２又はユーザから操作信号により指定されている場合、ＰＳＩ／ＳＩ処理部９０は、メインサービスの選局をスキップすることを示す情報を追加し、選局リストを更新する。
【０１２１】
メインサービスの選局処理をスキップしない場合（Ｓ１００４のＮＯ）、ＣＰＵ１３２の指示に従ってＰＳＩ／ＳＩ処理部９０は、第２の選局制御情報を用いて選局リストを更新しない。この場合、出力セレクタ９６は、ＣＰＵ１３２又はユーザから操作信号によりメインサービスの選局処理を指定された場合に、サブサービスに選局処理を遷移する。すなわち、出力セレクタ９６は、メインサービスの選局を指定された場合にサブサービスを選局する。その後、Ｓ１００７の処理へ進む。
【０１２２】
Ｓ１００７において、ＣＰＵ１３２は、ＰＭＴ内のＥＳループが終了しているかどうかを判断する。ＰＭＴ内のＥＳループが終了した場合（Ｓ１００７のＹＥＳ）、受信機５は、選局処理を終了する。ＰＭＴ内のＥＳループが終了していない場合には（Ｓ１００７のＮＯ）、受信機５は、最初の処理（Ｓ１００１）に戻り、一連の処理を繰り返す。
【０１２３】
図１２及び図１３は、本実施形態のメインチャンネル及びサブチャンネルの選局制御処理の関係の一例を示す概要図である。図１２及び図１３の場合において、受信機５は、例えば、２Ｋ／４Ｋ対応受信機（ＴＶ）とする。
【０１２４】
本実施形態の送受信システム１において、サブチャンネルを構成する第２のＴＳ信号に第２の選局制御情報が所定の情報（信号）に新たにメインチャンネル及びサブチャンネルを関連付ける記述子が新規定義されているために、受信機５は、サブチャンネルとして種々の信号を組み合わせて出力することができる。
【０１２５】
図１２に示すように、図１１のＳ１１０４のＹＥＳ、及びＳ１１０５の処理のようにメンチャンネルが選局リストから除外された場合には、受信機５は、サブチャンネル（番組Ｂ´）を構成する拡張映像信号が伝送されていることを識別した際に、ＣＰＵ１３２の処理によって自動的にメインチャンネル（番組Ｂ、番組Ｄ）の選局をスキップして、サブチャンネル（番組Ｂ´、番組Ｄ´）に表示が切り替えられる。
【０１２６】
図１３に示すように、図１１のＳ１１０４のＮＯの処理のようにメンチャンネルが選局リストから除外されない場合には、受信機５は、ユーザがリモコン端末３０２でメインチャンネル（番組Ｂ、番組Ｄ）を表示するように指示した際に、ＣＰＵ１３２の処理によって自動的にサブチャンネル（番組Ｂ´、番組Ｄ´）を表示する。
【０１２７】
本実施形態によれば、送信機３は、メインチャンネル及びサブチャンネルを関連付ける記述子が新規定義されるサービスグループ記述子（ＮＩＴ）を備えている。従って、受信機５（ＣＰＵ１３２）は、ＮＩＴを参照することによってサブチャンネル（サブサービス）を構成する第２のＴＳ信号であることを識別し、異なる伝送路及び／又は異なる伝送方式で伝送されるサブチャンネルに関連するメインチャンネル（メインサービス）の第１のＴＳ信号を識別することもできる。すなわち、受信機５は、第２のＰＳＩのＰＭＴを参照するのみで、関連する異なる伝送路及び異なる伝送方式の信号（第１のＴＳ信号）を識別することができる。その結果、受信機５は、効率的に選局制御を実行できる。
【０１２８】
（第３の実施形態）  
第３の実施形態の送受信システム１は、前述の実施形態の構成とほぼ同等である。したがって、前述した実施形態と同一の部分には同一の参照符号を付してその詳細な説明を省略する。
【０１２９】
図１４は、第３の実施形態の送受信システム１の概要図である。第３の実施形態の送受信システム１は、前述の実施形態の送受信システム１とほぼ同等の構成である。
【０１３０】
第３の実施形態の送受信システム１は、前述の実施形態に加えて、サーバ７をさらに備えている。したがって、本実施形態の送受信システム１は、第１の伝送路８０１と、第２の伝送路８０２と、第３の伝送路８０３とを備えている。なお、第１、第２、及び第３の伝送路８０１、８０２、８０３は、それぞれ、複数の伝送路を含む場合もある。
【０１３１】
第１の伝送路８０１は、例えば、放送及び衛星放送を伝送するための放送回線である。第２及び第３の伝送路８０２、８０３は、インターネット（ＩＰネットワーク）等の有線及び無線の通信回線である。
【０１３２】
本実施形態の送受信システム１において、サーバ７は、送信機３から第２の伝送路８０２を介して有線又は無線通信によって供給される番組コンテンツを蓄積する。そして、受信機５は、第３の伝送路８０３を介して有線又は無線通信によってネットワーク、例えば、  ネットワーク制御部１２２及びインターネットを介してサーバ７にアクセスすることができる。送受信システム１において、受信機５は、サーバ７から予め設定された番組配信スケジュールに基づいて配信されるコンテンツを取得して映像や音声を出力する、いわゆる、ＩＰ放送機能や、サーバ７に要求した番組コンテンツを取得して映像や音声を出力する、いわゆる、ＶＯＤ（Video on demand）機能等も備えている。
【０１３３】
受信機５は、放送及び通信によって送信機３及び／又はサーバ７から配信されるコンテンツを受信し、受信したコンテンツを表示部１１５に表示することができる。このとき、受信機５は、ＣＰＵ１３２に従って、第１の伝送路８０１を介して基準映像信号を取得し、
第１の伝送路８０１及び／又は第３の伝送路８０３を介して拡張映像信号を取得する。受信機５は、取得した基準映像信号及び拡張映像信号を前述の実施形態と同様に処理し、表示部１１５に表示する。
【０１３４】
本実施形態によれば、送受信システム１は、サーバ７を備えている。その結果、前述の実施形態の送受信システム１と比較して、サブチャンネルとしてさらに多くの種類の表示の組合せを実現できる。
【０１３５】
次に第３の実施形態に係る送受信システムの変形例について説明する。実施形態の変形例において、前述した実施形態と同一の部分には同一の参照符号を付してその詳細な説明を省略する。
【０１３６】
（変形例）  
第３の実施形態の変形例の送受信システム１は、第１、第２、及び第３の伝送路８０１、８０２、８０３の各々にさらに複数の伝送路を含んでいる。例えば、変形例の送受信システム１において、第１の伝送路８０１は、サイマルキャスト放送、及びスケーラブル放送等の複数の伝送路が設けられている。ここで、送信機３で生成される信号は、第１、第２、及び第３の伝送路８０１、８０２、８０３に含まれる複数の伝送路の各々に出力される。このとき、複数の伝送路の各々に出力された信号は、それぞれ、異なる及び／又は同一の伝送方式で伝送される。また、変形例の送受信システム１は、サイマルキャスト放送及びスケーラブル放送の両方に対応しているものとする。
【０１３７】
変形例において、送信機３は、少なくとも１つのＳＨＶＣ符号化方式で変換された信号を複数の伝送路の複数の伝送路のいずれか１つに出力する。符号化方式としては、送信機３は、ＭＰＥＧ−２符号化方式の他にＨＥＶＣ（High Efficiency Video Coding）符号化方式等を含んでいてもよい。また、受信機５は、送信機３に対応して複数のチューナ及び複数の信号処理部を備えている。なお、送信機３において、第１の信号生成部５０１は、現行の放送（２Ｋ放送）に対応する映像信号を生成し、第１の信号処理部６０１は、現行の放送に対応（２Ｋ放送）して映像信号を処理する。
【０１３８】
以下で、図１５を参照して、変形例のメインチャンネルとサブチャンネルの関係の一例について説明する。  
図１５は、変形例のメインチャンネル及びサブチャンネルの関係の一例を示す概要図である。図１５の場合において、受信機５は、例えば、２Ｋ／４Ｋ対応受信機（ＴＶ）とする。したがって、従って、受信機５は、メインチャンネルとして、例えば、ＭＰＥＧ−２符号化方式で伝送される２Ｋ映像を出力する。
【０１３９】
図１５に示すように、変形例の受信機５は、サブチャンネルとして種々の表示を可能にする。受信機５は、リモコン端末３０２及びＣＰＵ１３２の指示信号に従って、メインチャンネル及びサブチャンネルを選択して出力することができる。ＣＰＵ１３２は、ＰＳＩ／ＳＩ処理部９０に種々の選局リストを生成させ、選局リストに従ってメインチャンネルとサブチャンネルの切り替えを実行する。
【０１４０】
図１５に示すように、変形例の受信機５は、伝送がない場合にはメインチャンネル（番組Ａ）のみを出力する。  
図１５に示すように、受信機５は、メインチャンネル（番組Ｂ）のサブチャンネル（番組Ｂ´）としてＳＨＶＣ符号化方式のサイマルキャスト放送で伝送される４Ｋ映像を出力することができる。
【０１４１】
図１５に示すように、受信機５は、メインチャンネル（番組Ｃ）のサブチャンネル（番組Ｃ´）として２Ｋ放送のマルチビューテレビ（ＭＶＴＶ）を出力することができる。  
図１５に示すように、受信機５は、メインチャンネル（番組Ｄ）のサブチャンネル（番組Ｄ´）として２Ｋ映像の一部に４Ｋ映像を含む映像を出力することができる。  
図１５に示すように、受信機５は、メンチャンネル（番組Ｅ）のサブチャンネル（番組Ｅ´）として第３の伝送路８０３を介してデータをダウンロードしてダウンロードした映像信号を出力するができる。  
図１５に示すように、受信機５は、メインチャンネル（番組Ｆ）のサブチャンネル（番組Ｐ）としてメインチャンネル（番組Ｆ）と異なる番組に関連する映像を出力することができる。
【０１４２】
変形例によれば、送受信システム１は、送信機３、受信機５、及びサーバ７の間にサイマルキャスト放送、スケーラブル放送、及びインターネット通信回線等の複数の伝送路が設けられている。したがって、受信機５は、種々の放送サービスを提供することができる。例えば、受信機５は、ＨＤ放送サービスとのサイマル（サイマルキャスト方式）放送サービス、解像度などの信号フォーマットのみが異なる擬似サイマル放送サービス、サブチャンネルでの副映像伝送追加などによるマルチビュー（ＭＶＴＶ）化、やＣＭ差し替えなど、より広い範囲の拡張サービスを柔軟かつ容易に導入適用することができる。
【０１４３】
前述の実施形態によれば、送受信システム１において、送信機３は、取り出した際に完結定義する選局制御情報をサブチャンネルの拡張映像信号に備える。本実施形態の送受信システム１において、送信機３が取り出した際に完結定義する選局制御情報をサブチャンネルの拡張放送信号に備えていることによって、受信機５は、一方のＴＳに含まれるＰＭＴを参照し、処理を実行することによって、もう一方のＴＳに含まれるＰＭＴを参照し、処理する必要がなくなる。その結果、本実施形態の送受信システム１は、高画質放送に対応する円滑且つ効率的に選局処理を実行することができる。
【０１４４】
また、前述の実施形態の送受信システム１は、例えば、第１の信号生成部５０１が現行の放送サービスとほぼ同等の構成であってもよい。したがって、本実施形態の送受信システム１は、現行の放送サービス、例えば、ＨＤ放送サービスと互換性を有する。そのため、送受信システム１は、既存の放送対応受信機に対し、想定外の動作など受信処理上の不具合を発生させる危険性が低い。
【０１４５】
なお、前述の実施形態において、第１の信号生成部５０１における符号化形式をＭＰＥＧ−２符号化形式、第２の信号生成部５０２における符号化形式をＳＨＶＣ符号化形式としたが、第１の信号生成部５０１及び第２の信号生成部５０２で同一の符号化形式であってもよいし、他の符号化形式であってもよい。この場合、第１の信号処理部６０１及び２の信号処理部６０２は、それぞれ、処理する信号の符号化形式に適合する復号処理を実行するように構成される。
【０１４６】
なお、前述の実施形態において、メインチャンネル及びサブチャンネルを１つであるように説明したが、互いに対応するメインチャンネル又はサブチャンネルが複数あってもよい。
【０１４７】
前述の実施形態において、第１の信号生成部５０１は、ＨＤ放送に対応するメインチャンネルの信号を生成し、第２の信号生成部５０２は、４Ｋ放送に対応するサブチャンネルの信号を生成するとしたが、他の解像度の放送に対応する映像信号を生成してもよい。例えば、８Ｋ放送に対応する映像信号を生成してもよい。この場合、この場合、第１の信号処理部６０１及び２の信号処理部６０２は、それぞれ、送信機３から送信される放送の信号に適合する復号処理を実行するように構成される。
【０１４８】
なお、前述の実施形態において、拡張映像信号が存在することを確認した場合、受信機５は、番組表にポップアップを表示することもできる。図１６は、受信機５における番組表の電子案内（ＥＰＧ）画面の一例の示している。  
送信機３は、コンテンツを複数の信号に変換され、これらの信号をそれぞれ、同一の伝送路内に含まれる異なる伝送路で伝送するとしたが、。
【０１４９】
送信機３は、複数の信号を異なる伝送方式で出力するとしたが、同一の伝送方式で伝送してもよい。
【０１５０】
ユーザがリモコン端末３０２を操作し、所望の番組にカーソルを合わせ、決定ボタンを押すと、受信機５は、選択された番組を選局し、放送番組を表示することができる。
【０１５１】
ここで、例えば、受信機５は、ＣＰＵ１３２によって番組Ｃ２１にサブチャンネル（拡張映像信号）が存在すること、すなわち４Ｋ視聴が可能であることを確認した場合に、ポップアップを表示する。受信機５は、ポップアップにコメントを表示してもよい。例えば、図１６に示すように、受信機５は、ポップアップのコメントとして「４Ｋが視聴できます。リモコンの４Ｋボタンを押して下さい。」というようなコメントを表示する。このような場合、受信機５は、ユーザが所定のボタン、例えば、４Ｋボタン（図示せず）を押した場合に、サブチャンネルの４Ｋ映像を表示する。このように、ポップアップを表示することによって、ユーザに基準映像信号に加えて拡張映像信号が存在することを容易に識別させることができる。
【０１５２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許の請求の範囲に記載された発明とその均等の範囲に含まれるものである。
【符号の説明】
【０１５３】
１…送受信システム、３…送信機（送信装置）、４…送信信号処理装置、５…受信機（受信装置）、７…サーバ、１０、１６、２２、４０，６０，８０…入力端子、１２…第１のＰＳＩ／ＳＩ生成部、１８…第１のＥＣＭ／ＥＭＭ生成部と、１４、２０…セクション化部、２４…ダウンコンバータ、２６…エンコーダ、２８…ＰＥＳ化部、２９…第１のスクランブラ、３０…第１の多重化処理部、３１、５７…伝送路符号化部、３２、５８、９７…出力端子、３４…デコーダと、３６、７４…アップコンバータと、３８、７６…バッファと、３７…クロック生成同期部、４２…メタデータ生成部、４４…ＳＨＶＣエンコーダ、５０…第２のＰＳＩ／ＳＩ生成部、５４…第２のＥＣＭ／ＥＭＭ生成部、５２、５５…セクション化部、４６…ＰＥＳ化部、４８…第２のスクランブラ、５６…第２の多重化処理部、７２…クロック再生制御部、６４…第１の多重化分離部、６６…第１のデスクランブラ、７０…第１のＥＣＭ／ＥＭＭ処理部、６８…デコーダ、８４…第２の多重化分離部、８６…第２のＥＣＭ／ＥＭＭ処理部、８８…第２のデスクランブラ、９０…ＰＳＩ／ＳＩ処理部、７８…ＳＨＶＣデコーダ、９２…メタデータ処理部、９４…高画質化処理部、１１１…入力部、１１２…信号処理部、１１３…システムコントローラ（システム制御部）、１１４…映像処理部、１１５…表示部、…１１６音声処理部、１１７…音声出力部、１１９…操作部、１２０…受信部、１２１…通信インターフェース、１２２…ネットワーク制御部、１２３…ＵＳＢインターフェース、１２４…ＨＤＭＩ、１２５…記憶部、２１１…復元処理部、４０１…ＣＰＵ（第１の制御部）、５０１…第１の信号生成部、５０２…第２の信号生成部、６０１…第１の信号処理部、６０２…第２の信号処理部、８０１…第１の伝送路、８０２…第２の伝送路、８０３…第３の伝送路、Ｐ１…ポップアップ。
【図１】
0006301816.tif 000002
【図２】
0006301816.tif 000003
【図３】
0006301816.tif 000004
【図４】
0006301816.tif 000005
【図５】
0006301816.tif 000006
【図６】
0006301816.tif 000007
【図７】
0006301816.tif 000008
【図８】
0006301816.tif 000009
【図９】
0006301816.tif 000010
【図１０】
0006301816.tif 000011
【図１１】
0006301816.tif 000012
【図１２】
0006301816.tif 000013
【図１３】
0006301816.tif 000014
【図１４】
0006301816.tif 000015
【図１５】
0006301816.tif 000016
【図１６】
0006301816.tif 000017